(57)【要約】【課題】記録媒体のイジェクトを行う際に、投写される画像光によって眩しさを感じてしまうことを抑制可能なプロジェクター及びその制御方法を提供する。【解決手段】本体操作部２２又は操作信号受信部２４がイジェクトキーの操作を検出すると、制御部２０は、ＯＳＤ処理部３５に指示をして、ＤＶＤメディアＭをイジェクトする旨と、それに伴って光量が低減することをユーザーに事前に報知する。その後、制御部２０は、調光駆動部３７に指示をして、調光装置１４のルーバーを閉塞させる。そして、調光装置１４を最も閉塞した状態にすることによって、投写される光量を低減させる。次いで、制御部２０は、ＤＶＤ再生部２７のメディア搬送部２９に指示をして、ＤＶＤメディアＭをイジェクトさせる。【選択図】図２
2011118141.tif 000002
【特許請求の範囲】
【請求項１】
記録媒体に記録されている情報を読み出して画像情報を出力する記録媒体再生部と、
光源と、
前記光源から射出された光を、前記画像情報に基づいて変調して画像光を形成する光変調装置と、
前記光変調装置で形成された前記画像光を投写するための投写レンズと、
前記投写レンズと同一方向を向いた面に設けられ、前記記録媒体のロード及びイジェクトを行うための記録媒体交換部と、
前記記録媒体をイジェクトするための排出操作を検出する排出操作検出部と、
前記投写レンズから投写される前記画像光の光量を調整する調光部と、
前記排出操作検出部が前記排出操作を検出した場合に、前記記録媒体交換部から前記記録媒体をイジェクトさせるとともに、前記調光部によって前記光量を低減させる制御部と、
を備えたことを特徴とするプロジェクター。
【請求項２】
請求項１に記載のプロジェクターであって、
前記排出操作検出部が前記排出操作を検出した場合に、前記調光部によって前記光量を低減させることを事前に報知する報知部をさらに備えたことを特徴とするプロジェクター。
【請求項３】
請求項１又は２に記載のプロジェクターであって、
前記記録媒体交換部に前記記録媒体があるか否かを検知する記録媒体検知部をさらに備え、
前記制御部は、前記記録媒体がイジェクトされてから所定時間が経過した後も、前記記録媒体交換部に前記記録媒体があることを前記記録媒体検知部が検知した場合には、前記記録媒体を前記記録媒体再生部へロードさせることを特徴とするプロジェクター。
【請求項４】
請求項１〜３のいずれか１項に記載のプロジェクターであって、
前記光源の輝度を調整する光源制御部をさらに備え、
前記制御部は、前記排出操作検出部が前記排出操作を検出した場合に、前記光源制御部に前記光源の輝度を低減させることを特徴とするプロジェクター。
【請求項５】
請求項１〜４のいずれか１項に記載のプロジェクターであって、
前記調光部は、前記光源と前記光変調装置との間に設けられ、前記光源から前記光変調装置に入射する光の光量を制限することによって、前記画像光の光量を低減させることを特徴とするプロジェクター。
【請求項６】
請求項１〜４のいずれか１項に記載のプロジェクターであって、
前記調光部は、前記光変調装置と前記投写レンズとの間に設けられ、前記投写レンズの入射面に入射する光の光量を制限することによって、前記画像光の光量を低減させることを特徴とするプロジェクター。
【請求項７】
記録媒体に記録されている情報を読み出して画像情報を出力する記録媒体再生部と、光源と、前記光源から射出された光を、前記画像情報に基づいて変調して画像光を形成する光変調装置と、前記光変調装置で形成された前記画像光を投写するための投写レンズと、前記投写レンズと同一方向を向いた面に設けられ、前記記録媒体のロード及びイジェクトを行うための記録媒体交換部と、前記記録媒体をイジェクトするための排出操作を検出する排出操作検出部と、前記投写レンズから投写される前記画像光の光量を調整する調光部と、を備えたプロジェクターの制御方法であって、
前記排出操作検出部が前記排出操作を検出する排出操作検出ステップと、
前記排出操作検出ステップの後で、前記記録媒体を前記記録媒体交換部からイジェクトさせる記録媒体排出ステップと、
前記排出操作検出ステップの後で、前記調光部によって前記光量を低減させる光量低減ステップと、
を備えたことを特徴とするプロジェクターの制御方法。
【発明の詳細な説明】
【技術分野】
【０００１】
本発明は、記録媒体に記録されている情報を読み出す記録媒体再生部を備えたプロジェクター及びその制御方法に関する。
【背景技術】
【０００２】
画像光を投写するプロジェクターにおいて、ＤＶＤ（Digital Versatile Disc）やブルーレイディスク等の記録媒体から情報を読み出して再生する記録媒体再生部（画像再生装置）を一体的に備えたものが知られている（例えば、特許文献１参照）。このようなプロジェクターを用いれば、外部の画像再生装置等を接続することなく、記録媒体に記録されている画像情報に基づく画像を容易に鑑賞することが可能となる。
【先行技術文献】
【特許文献】
【０００３】
【特許文献１】特開２００９−４７８２８号公報
【発明の概要】
【発明が解決しようとする課題】
【０００４】
しかしながら、上記のようなプロジェクターにおいて、画像光が投写される投写レンズと、記録媒体の挿入や取り出しを行うための記録媒体交換部（ＤＶＤ挿入部）とが、同一方向を向いて備わっている場合には、記録媒体の交換を行う際に、誤って投写レンズを直視してしまって、激しい眩しさを感じてしまう恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、記録媒体に記録されている情報を読み出して画像情報を出力する記録媒体再生部と、光源と、前記光源から射出された光を、前記画像情報に基づいて変調して画像光を形成する光変調装置と、前記光変調装置で形成された前記画像光を投写するための投写レンズと、前記投写レンズと同一方向を向いた面に設けられ、前記記録媒体のロード及びイジェクトを行うための記録媒体交換部と、前記記録媒体をイジェクトするための排出操作を検出する排出操作検出部と、前記投写レンズから投写される前記画像光の光量を調整する調光部と、前記排出操作検出部が前記排出操作を検出した場合に、前記記録媒体交換部から前記記録媒体をイジェクトさせるとともに、前記調光部によって前記光量を低減させる制御部と、を備えたことを特徴とする。
【０００７】
このプロジェクターによれば、記録媒体をイジェクトするための排出操作が検出された場合に、制御部は、記録媒体をイジェクトさせるとともに、調光部によって光量を低減させるため、記録媒体を取り出そうとしているユーザーが、投写レンズから投写される画像光によって眩しさを感じてしまうことが抑制される。
【０００８】
［適用例２］上記適用例に係るプロジェクターにおいて、前記排出操作検出部が前記排出操作を検出した場合に、前記調光部によって前記光量を低減させることを事前に報知する報知部をさらに備えることが望ましい。
【０００９】
このプロジェクターによれば、報知部が、光量の低減を事前に報知するため、投写されている画像を見ていたユーザーを驚かせずに済む。
【００１０】
［適用例３］上記適用例に係るプロジェクターにおいて、前記記録媒体交換部に前記記録媒体があるか否かを検知する記録媒体検知部をさらに備え、前記制御部は、前記記録媒体がイジェクトされてから所定時間が経過した後も、前記記録媒体交換部に前記記録媒体があることを前記記録媒体検知部が検知した場合には、前記記録媒体を前記記録媒体再生部へロードさせることが望ましい。
【００１１】
このプロジェクターによれば、イジェクトされた記録媒体が所定時間取り外されなかった場合に、記録媒体を記録媒体再生部へロードさせるため、記録媒体が記録媒体交換部からイジェクトされたままの状態で放置されることがなくなり、記録媒体を保護することが可能となる。
【００１２】
［適用例４］上記適用例に係るプロジェクターにおいて、前記光源の輝度を調整する光源制御部をさらに備え、前記制御部は、前記排出操作検出部が前記排出操作を検出した場合に、前記光源制御部に前記光源の輝度を低減させることが望ましい。
【００１３】
このプロジェクターによれば、記録媒体をイジェクトするための排出操作が検出された場合に、制御部は、光源の輝度を低減させるため、投写レンズから投写される画像光の光量をより低減することができるとともに、記録媒体をイジェクトする際の消費電力を抑制することが可能となる。
【００１４】
［適用例５］上記適用例に係るプロジェクターにおいて、前記調光部は、前記光源と前記光変調装置との間に設けられ、前記光源から前記光変調装置に入射する光の光量を制限することによって、前記画像光の光量を低減させるようにしてもよい。
【００１５】
［適用例６］上記適用例に係るプロジェクターにおいて、前記調光部は、前記光変調装置と前記投写レンズとの間に設けられ、前記投写レンズの入射面に入射する光の光量を制限することによって、前記画像光の光量を低減させるようにしてもよい。
【００１６】
［適用例７］本適用例に係るプロジェクターの制御方法は、記録媒体に記録されている情報を読み出して画像情報を出力する記録媒体再生部と、光源と、前記光源から射出された光を、前記画像情報に基づいて変調して画像光を形成する光変調装置と、前記光変調装置で形成された前記画像光を投写するための投写レンズと、前記投写レンズと同一方向を向いた面に設けられ、前記記録媒体のロード及びイジェクトを行うための記録媒体交換部と、前記記録媒体をイジェクトするための排出操作を検出する排出操作検出部と、前記投写レンズから投写される前記画像光の光量を調整する調光部と、を備えたプロジェクターの制御方法であって、前記排出操作検出部が前記排出操作を検出する排出操作検出ステップと、前記排出操作検出ステップの後で、前記記録媒体を前記記録媒体交換部からイジェクトさせる記録媒体排出ステップと、前記排出操作検出ステップの後で、前記調光部によって前記光量を低減させる光量低減ステップと、を備えたことを特徴とする。
【００１７】
このプロジェクターの制御方法によれば、記録媒体をイジェクトするための排出操作が検出された場合に、記録媒体をイジェクトさせるとともに、調光部によって光量を低減させるため、記録媒体を取り出そうとしているユーザーが、投写レンズから投写される画像光によって眩しさを感じてしまうことが抑制される。
【００１８】
また、上述したプロジェクター及びその制御方法がプロジェクターに備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、プロジェクターの内部記憶装置（ＲＡＭやＲＯＭ等の半導体メモリー）等、前記コンピューターが読み取り可能な種々の媒体を利用することができる。
【図面の簡単な説明】
【００１９】
【図１】（ａ）、（ｂ）は、プロジェクターの斜視図。
【図２】プロジェクターの回路構成を示すブロック図。
【図３】画像投写部の構成をより詳細に説明するための構成図。
【図４】イジェクトキーが操作された場合のプロジェクターの動作を示すフローチャート。
【図５】メッセージ画像を示す図。
【図６】ＤＶＤメディアを排出した後のプロジェクターの動作を示すフローチャート。
【図７】（ａ）、（ｂ）は、変形例に係るプロジェクターの斜視図。
【図８】変形例に係る画像投写部を説明するための構成図。
【発明を実施するための形態】
【００２０】
以下、本実施形態のプロジェクターについて、図面を参照して説明する。本実施形態のプロジェクターは、ＤＶＤ（Digital Versatile Disc）を再生可能なＤＶＤ再生部を備えており、ＤＶＤメディアに記録されている情報に基づく画像（画像光）を投写することができる。また、本実施形態のプロジェクターは、画像の明るさに基づいて、画像の階調範囲を伸張する伸張処理、及びそれに応じて光量を調整する調光処理が可能となっている。このため、例えば、暗い画像を表示する際には、階調範囲を白側（明るい側）に伸張するとともに、伸張量に応じて光量を低減させることで、画像の暗さを維持しつつ有効な階調数を増やし（ダイナミックレンジを拡大し）、コントラスト感を向上させることができる。
【００２１】
図１（ａ）、（ｂ）は、本実施形態のプロジェクターの斜視図である。
図１（ａ）、（ｂ）に示すように、プロジェクター１は、外装を構成する筐体２によって装置本体が覆われた構成を有している。プロジェクター１は、外部のスクリーン等に画像（画像光）を投写する投写レンズ１３を有しており、筐体２の前面２ｆには、投写レンズ１３を露出させるための開口部３が形成されている。
【００２２】
開口部３の下側には、記録媒体であるＤＶＤメディアＭを挿入したり取り出したりするためのディスクスロット４が設けられている。言い替えれば、ディスクスロット４は、ＤＶＤメディアＭの取り込み（ロード）及び排出（イジェクト）を行うためのものであり、投写レンズ１３が露出する面（前面２ｆ）と同一面に備えられている。また、筐体２の前面２ｆには、リモコン２３から送信される操作信号を受信するための操作信号受信部２４も配置されている。
【００２３】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット４からＤＶＤメディアＭをイジェクトするための操作キー（イジェクトキー９０）は、筐体２の前面２ｆのディスクスロット４の近傍に配置されており、それ以外の操作キーは、筐体２の上面２ｔに配置されている。また、リモコン２３にも、本体操作部２２と同様、プロジェクター１に対して各種指示を行うための複数の操作キーが備えられており、プロジェクター１を遠隔操作することが可能になっている。
【００２４】
筐体２の背面２ｒには、電源が入力される電源端子３９や、外部の画像出力装置Ｃ（図２参照）から画像情報が入力される入力端子２５等が配設されている。
【００２５】
図２は、プロジェクターの回路構成を示すブロック図である。
図２に示すように、プロジェクター１は、画像投写部１０、制御部２０、記憶部２１、本体操作部２２、リモコン２３、操作信号受信部２４、入力端子２５、画像情報変換部２６、ＤＶＤ再生部２７、入力選択部３３、画像処理部３４、ＯＳＤ処理部３５、液晶駆動部３６、調光駆動部３７、画像解析部３８、電源端子３９、電源回路４０、光源制御部４１等を備えており、リモコン２３を除く各構成要素は、筐体２（図１参照）の内部に収容されている。
【００２６】
画像投写部１０は、光源としての光源装置１１、光変調装置としての３つの液晶パネル１２、投写光学系としての投写レンズ１３、調光部としての調光装置１４等で構成されている。画像投写部１０は、画像表示部に相当するものであり、光源装置１１から射出された光を、液晶パネル１２で変調して画像（画像光）を形成し、この画像を投写レンズ１３から投写して外部のスクリーンＳＣ等に表示する。
【００２７】
図３は、画像投写部１０の構成をより詳細に説明するための構成図であり、光源装置１１から射出された光が投写レンズ１３に至るまでの光路を示している。
図３に示すように、画像投写部１０は、光源装置１１及び調光装置１４等を含む照明光学系５０と、色光分離光学系６０と、リレー光学系７０と、液晶パネル１２等を含む画像形成部８０と、投写レンズ１３とを備えている。
【００２８】
照明光学系５０は、光源装置１１と、第１のレンズアレイ５１と、第２のレンズアレイ５２と、偏光変換素子５３と、重畳レンズ５４と、調光装置１４とを備えて構成されている。光源装置１１は、超高圧水銀ランプやメタルハライドランプ等からなる放電型の光源ランプ１１ａと、凹状の楕円面鏡等からなるリフレクター１１ｂとを備えており、光源ランプ１１ａは、リフレクター１１ｂの内側に取り付けられている。そして、光源ランプ１１ａから射出された放射状の光束は、リフレクター１１ｂで反射し、第１のレンズアレイ５１へと射出される。なお、光源装置１１が寿命に達したり、故障したりした際に、新しい光源装置１１と交換ができるように、光源装置１１は、プロジェクター１に対して着脱が自在な構成になっている。
【００２９】
第１のレンズアレイ５１及び第２のレンズアレイ５２は、それぞれ微小なレンズ５１ａ，５２ａがマトリクス状に配置された構成になっている。そして、光源装置１１から入射した光束は、第１のレンズアレイ５１によって複数の微小な部分光束に分割される。第２のレンズアレイ５２及び重畳レンズ５４は、第１のレンズアレイ５１で分割された部分光束のそれぞれが、照明対象である液晶パネル１２の全体に照射するように構成されている。このため、各部分光束は、液晶パネル１２で重畳され、液晶パネル１２の全体がほぼ均一に照明される。
【００３０】
第１及び第２のレンズアレイ５１，５２間の光路には、調光装置１４が配置されている。調光装置１４は、開き戸（扉）式に開閉する一対のルーバー１４ａを備えており、このルーバー１４ａの開閉状態を調整することによって、光源装置１１から射出された光の光量を調整する（絞る）ことができる。つまり、調光装置１４は、第１のレンズアレイ５１によって分割された光束の一部を、ルーバー１４ａによって遮ることによって光量を制限するものであり、調光装置１４で絞られた光量に応じて、液晶パネル１２を照明する光量、即ち投写される画像光の光量が略一様に低減する。なお、調光装置１４のルーバー１４ａを最も開放させた状態にすると、第１のレンズアレイ５１から射出された光は、ルーバー１４ａに遮られることなく第２のレンズアレイ５２に達する。そして、ルーバー１４ａを閉じていくほど、第２のレンズアレイ５２に達する光量は低減していき、ルーバー１４ａを最も閉塞させた状態にすると、第１のレンズアレイ５１から射出された光の大部分はルーバー１４ａによって遮られる。
【００３１】
偏光変換素子５３は、光源装置１１からの光を液晶パネル１２で効率よく利用可能とするため、特定の偏光方向を有する偏光光に揃える機能を有している。照明光学系５０を射出した偏光光は、色光分離光学系６０に入射する。
【００３２】
色光分離光学系６０は、第１のダイクロイックミラー６１と、第１の反射ミラー６２と、第２のダイクロイックミラー６３とを備えており、照明光学系５０から射出された光を、波長域の異なる３色の光に分離する。第１のダイクロイックミラー６１は、略赤色の光（赤色光Ｒ）を反射するとともに、赤色光Ｒよりも短波長の光を透過する。第１のダイクロイックミラー６１で反射した赤色光Ｒは、第１の反射ミラー６２でさらに反射し、平行化レンズ５５で平行化されて画像形成部８０の赤色光用の液晶パネル１２Ｒを照明する。
【００３３】
第２のダイクロイックミラー６３は、略青色の光（青色光Ｂ）を透過するとともに、透過する光よりも長波長の光を反射する。このため、第１のダイクロイックミラー６１を透過した光のうち、略緑色の光（緑色光Ｇ）は、第２のダイクロイックミラー６３によって反射し、平行化レンズ５５で平行化されて画像形成部８０の緑色光用の液晶パネル１２Ｇを照明する。また、青色光Ｂは、第２のダイクロイックミラー６３を透過してリレー光学系７０に入射する。そして、リレー光学系７０を経由した後、平行化レンズ５５で平行化されて画像形成部８０の青色光用の液晶パネル１２Ｂを照明する。
【００３４】
なお、リレー光学系７０は、青色光Ｂの経路が他の色光の経路に比べて長くなってしまうことから、光束の発散による液晶パネル１２Ｂへの照明効率の低下を抑制するために設けられている。リレー光学系７０は、入射側レンズ７１と、第２の反射ミラー７２と、リレーレンズ７３と、第３の反射ミラー７４とを備えており、リレー光学系７０に入射した青色光Ｂは、入射側レンズ７１によってリレーレンズ７３の近傍で収束し、平行化レンズ５５に向けて発散する。
【００３５】
画像形成部８０は、３つの液晶パネル１２（赤色光用の液晶パネル１２Ｒ、緑色光用の液晶パネル１２Ｇ、青色光用の液晶パネル１２Ｂ）と、各液晶パネル１２の入射側及び射出側にそれぞれ配置された入射側偏光板８１及び射出側偏光板８２と、色合成光学系としてのクロスダイクロイックプリズム８３とを備えて構成されている。
【００３６】
液晶パネル１２は、液晶が封入された一対の透明基板を備えており、透明基板の内面には、液晶に対して微小領域（画素）毎に駆動電圧を印加可能な透明電極（画素電極）がマトリクス状に形成されている。入射側偏光板８１及び射出側偏光板８２は、それぞれ特定の偏光方向の偏光光のみを透過可能であり、入射側偏光板８１は、偏光変換素子５３によって揃えられた偏光方向の偏光光を透過可能になっている。このため、液晶パネル１２に向けて照射された各色光の大部分は入射側偏光板８１を透過して、液晶パネル１２に入射する。
【００３７】
ここで、液晶駆動部３６（図２参照）によって、液晶パネル１２の各画素に、外部から入力された画像情報に基づく駆動電圧が印加されると、液晶パネル１２に入射した光は、駆動電圧に応じて変調され、画素毎に異なる偏光方向を有した偏光光となる。この偏光光のうち、射出側偏光板８２を透過可能な偏光成分のみが射出側偏光板８２から射出される。つまり、液晶パネル１２及び射出側偏光板８２が、画像情報に応じて画素毎に異なる透過率で入射光を透過させることによって、階調を有する画像光が色光毎に形成される。射出側偏光板８２から射出した各色光からなる画像光は、クロスダイクロイックプリズム８３に入射する。
【００３８】
クロスダイクロイックプリズム８３には、赤色光を反射する誘電体多層膜と、青色光を反射する誘電体多層膜とが、４つの直角プリズムの界面に沿って略Ｘ字状に設けられており、射出側偏光板８２から射出された各色の画像光は、これらの誘電体多層膜によって合成される。クロスダイクロイックプリズム８３で合成された画像光は、カラーの画像光として射出面８３ｘから射出され、投写レンズ１３に入射する。
【００３９】
投写レンズ１３は、クロスダイクロイックプリズム８３の射出面８３ｘ側に配置されており、画像形成部８０で形成された画像光を拡大して投写する。投写レンズ１３から射出された画像光は、外部のスクリーンＳＣ（図２参照）等に投写される。
【００４０】
図２に戻って、制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。
【００４１】
記憶部２１は、マスクＲＯＭ（Read Only Memory）、フラッシュメモリー、又はＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００４２】
本体操作部２２及びリモコン２３は、上述したように複数の操作キーを備えており、ユーザーの入力操作（操作キーの操作）を検出する。複数の操作キーには、上述したイジェクトキー９０の他に、電源のオンとオフとを切り替えるための電源キーや、入力ソースを切り替えるための入力切替キー、ＤＶＤメディアＭの再生を開始させるための再生キー、ＤＶＤメディアＭの再生を停止させるための停止キー等が含まれる。ユーザーが本体操作部２２の操作キーを操作すると、本体操作部２２は、操作された操作キーを検出し、この操作キーに応じた操作信号を制御部２０に出力する。また、ユーザーがリモコン２３の操作キーを操作すると、リモコン２３は、操作された操作キーに応じた赤外線の操作信号を発し、操作信号受信部２４がこれを検出して制御部２０に伝達する。
【００４３】
入力端子２５は、プロジェクター１の外部から画像情報が入力される端子であり、画像情報入力部に相当するものである。具体的には、入力端子２５には、パーソナルコンピューターやビデオ再生装置等、外部の画像出力装置Ｃとケーブル（図示せず）を介して接続され、画像出力装置Ｃから各種形式の画像情報が入力される。入力端子２５に入力された画像情報は、画像情報変換部２６に供給される。
【００４４】
画像情報変換部２６は、入力端子２５から入力された画像情報に対してＡ／Ｄ変換等の変換処理を行って、処理後の画像情報を入力選択部３３に出力する。
【００４５】
ＤＶＤ再生部２７は、筐体２の内部において、ディスクスロット４の近傍に配設されており、記録媒体（ＤＶＤメディアＭ）に記録された情報を読み出す記録媒体再生部に相当するものである。ＤＶＤ再生部２７は、挿入センサー２８、メディア搬送部２９、装着センサー３０、データ読取部３１、及びデータ処理部３２等を含んで構成されている。
【００４６】
挿入センサー２８は、記録媒体検知部に相当するものであり、ディスクスロット４に近接して配置されている。そして、ＤＶＤメディアＭの一部がディスクスロット４に挿入されたことを検知して制御部２０に通知する。また、挿入センサー２８は、イジェクトされたＤＶＤメディアＭがディスクスロット４から取り外されたことを検知することもできる。つまり、挿入センサー２８は、ディスクスロット４にＤＶＤメディアＭがあるか否かを検知する。
【００４７】
メディア搬送部２９は、ＤＶＤメディアＭを搬送するための搬送ローラー、及び搬送ローラーを回転駆動する駆動モーター（いずれも図示せず）等によって構成される。メディア搬送部２９は、記録媒体搬送部に相当するものであり、制御部２０の指示に基づいて、ＤＶＤ再生部２７内におけるＤＶＤメディアＭの搬送を行う。具体的には、ユーザーがＤＶＤメディアＭの一部を外部からディスクスロット４に挿入し、挿入センサー２８がこの挿入を検出すると、制御部２０は、メディア搬送部２９に指示をして、ＤＶＤメディアＭをＤＶＤ再生部２７の内部にロードさせ、図示しないターンテーブル上に装着させる。また、ユーザーによりイジェクトキー９０が操作されると、制御部２０は、メディア搬送部２９に指示をして、ターンテーブルからＤＶＤメディアＭを離脱させ、ＤＶＤ再生部２７からディスクスロット４の外部に向けてＤＶＤメディアＭをイジェクトさせる。
【００４８】
装着センサー３０は、ターンテーブルの近傍に配置され、ターンテーブルにＤＶＤメディアＭが装着されていることを検知して制御部２０に通知する。
【００４９】
データ読取部３１は、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部３１によって読み取られたデータストリームは、データ処理部３２に順次出力される。
【００５０】
データ処理部３２は、デマルチプレクサーやデコーダー等で構成され、制御部２０の指示に基づいて、データ読取部３１から入力されるデータストリームを画像情報と音声情報とに分離する処理や、分離した画像情報及び音声情報をデコード（復号化）する処理等を行う。データ処理部３２は、復号化された画像情報を入力選択部３３に出力し、復号化された音声情報を図示しない音声出力手段に出力する。なお、ＤＶＤ再生部２７が、ＤＶＤメディアＭからデータストリームを読み取って、このデータストリームに基づく画像情報を出力することを、本明細書では「画像情報を再生する」又は「ＤＶＤメディアＭを再生する」と表記する。
【００５１】
挿入センサー２８及び装着センサー３０は、例えば、メカニカルスイッチ、光センサー、磁気センサー等の各種検出手段を用いて構成することができる。また、装着センサー３０に関しては、上記光ピックアップが受光する反射光の信号レベルによってＤＶＤメディアＭの装着の有無を検出する態様とすることも可能である。
【００５２】
入力選択部３３は、入力端子２５から画像情報変換部２６を経て入力される画像情報（外部入力画像情報）と、ＤＶＤ再生部２７から入力される画像情報（ＤＶＤ再生画像情報）のいずれか一方を、制御部２０の指示に基づいて選択し、選択した画像情報を画像処理部３４及び画像解析部３８に出力する。ユーザーが、本体操作部２２又はリモコン２３に備わる入力切替キーを操作して所望の画像情報を指定すると、制御部２０は、指定された画像情報が画像処理部３４及び画像解析部３８に出力されるよう、入力選択部３３に指示をする。つまり、入力選択部３３は、外部入力画像情報に基づく画像（外部入力画像）を投写（表示）する状態と、ＤＶＤ再生部２７によって再生されたＤＶＤ再生画像情報に基づく画像（ＤＶＤ再生画像）を投写（表示）する状態とを、ユーザーの入力操作に応じて切り替えることができる。
【００５３】
画像処理部３４は、制御部２０の指示に基づいて、入力選択部３３から入力される画像情報を、液晶パネル１２の各画素の階調を表す画像情報、即ち各画素に印加する駆動電圧を規定するための画像情報に変換する。ここで、変換された画像情報は、Ｒ，Ｇ，Ｂの色光別になっており、各液晶パネル１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。さらに、画像処理部３４は、制御部２０の指示に基づいて、変換した画像情報に対して、明るさ、コントラスト、シャープネス、色合い等を調整するための画質調整処理等を行う。画像処理部３４で画質調整等がなされた画像情報は、ＯＳＤ処理部３５に出力される。
【００５４】
また、画像処理部３４は、制御部２０の指示に基づいて、所定の基準画像（例えば、黒色無地の画像等）を投写するための画像情報（基準画像情報）を出力可能になっている。制御部２０が基準画像の投写を指示すると、画像処理部３４は、入力選択部３３から入力される画像情報の内容に拘わらず、指示に応じた基準画像情報を生成してＯＳＤ処理部３５に出力する。
【００５５】
ＯＳＤ処理部３５は、制御部２０の指示に基づいて、投写すべき画像（投写画像）上に、メニュー画像やメッセージ画像等のＯＳＤ（オンスクリーンディスプレイ）画像を重畳して表示するための処理を行う。ＯＳＤ処理部３５は、図示しないＯＳＤメモリーを備えており、ＯＳＤ画像を形成するための図形やフォント等を表すＯＳＤ画像情報を記憶している。制御部２０が、ＯＳＤ画像の重畳表示を指示すると、ＯＳＤ処理部３５は、必要なＯＳＤ画像情報をＯＳＤメモリーから読み出し、投写画像上の所定の位置にＯＳＤ画像が重畳されるように、画像処理部３４から入力される画像情報にこのＯＳＤ画像情報を合成する。ＯＳＤ画像情報が合成された画像情報は、液晶駆動部３６に出力される。なお、制御部２０からＯＳＤ画像を重畳する旨の指示がない場合には、ＯＳＤ処理部３５は、画像処理部３４から入力される画像情報を、そのまま液晶駆動部３６に出力する。
【００５６】
液晶駆動部３６は、ＯＳＤ処理部３５から入力される画像情報に従って液晶パネル１２を駆動し、液晶パネル１２に画像情報に応じた画像光を形成させる。これにより、画像情報に基づく画像光が投写レンズ１３から投写される。
【００５７】
調光駆動部３７は、モーター等の駆動装置によって構成されており、制御部２０の指示に基づいて、調光装置１４の開閉動作を駆動する。調光装置１４は、通常、ルーバー１４ａ（図３参照）を最も開放させた状態で保持されており、明るい画像を表示することができるようになっている。一方、暗い画像を表示する際には、制御部２０が調光駆動部３７に指示をして、調光装置１４のルーバー１４ａを所定の量だけ閉塞させる。これにより、画像を形成するための光量が絞られ、暗い画像に適した光量で画像が形成される。
【００５８】
画像解析部３８は、入力選択部３３から入力される画像情報を解析し、画像の明るさ（各画素の画素値）に応じた特徴量を１フレーム毎に導出して、制御部２０に出力する。特徴量としては、例えば、１フレーム内で最も明るい画素値である最大画素値（白ピーク値）や、１フレーム内の平均輝度を表すＡＰＬ（Average Picture Level：平均画像レベル）が導出される。制御部２０は、画像解析部３８から入力される特徴量に基づいて、画像処理部３４に画像情報の補正を指示するとともに、調光駆動部３７に調光装置１４を駆動させる。例えば、入力された特徴量が所定の明るさよりも暗いことを示す場合には、制御部２０は、画像処理部３４に指示をして、画素値を白側に伸張する補正を行わせるとともに、調光駆動部３７に指示をして、画素値を伸張させた分だけ調光装置１４を閉塞させる。この結果、光量が絞られることによって画像を適切な明るさ（暗さ）で表示することができるとともに、１フレーム内で用いられる画素値の範囲（階調範囲）が拡大するため、コントラスト感が向上する。
【００５９】
電源回路４０には、電源端子３９を介してＡＣ１００Ｖ等の商用電源が外部から供給される。電源回路４０は、商用電源（交流電源）を所定の電圧の直流電源に変換して、プロジェクター１の各部に電力を供給する（供給経路については図示せず）。また、電源回路４０は、制御部２０の指示に基づいて、画像の投写に必要な電力（動作電力）を各部に供給する状態（以降、「電源オン状態」と呼ぶ。）と、動作電力の供給を停止して、電源をオンにするための電源キーの操作を待機する状態（以降、「スタンバイ状態」又は「電源オフ状態」と呼ぶ。）とを切り替えることができる。
【００６０】
光源制御部４１は、制御部２０の指示に基づいて、光源装置１１に対する電力の供給と停止とを制御し、光源装置１１の点灯及び消灯を切り替える。また、光源制御部４１は、光源装置１１の輝度を調整可能になっており、相対的に明るい「高輝度」と、相対的に暗い「低輝度」の２段階に切り替えることができる。
【００６１】
次に、本実施形態のプロジェクター１の動作について説明する。
プロジェクター１に商用電源が供給されると、電源回路４０は、制御部２０、記憶部２１、本体操作部２２、操作信号受信部２４に電力（スタンバイ電力）の供給を行い、制御部２０は、この電力供給を受けて、制御プログラムに従った動作を開始する。商用電源が供給された直後には、プロジェクター１は、スタンバイ状態であり、この状態では、制御部２０は、光源装置１１を消灯させた状態で、本体操作部２２又はリモコン２３に備わる電源キーの操作を待機する。
【００６２】
そして、ユーザーによって電源キーが操作されると、制御部２０は、光源装置１１を点灯させるとともに、入力選択部３３で選択されている画像情報に基づく画像の投写を開始する。入力選択部３３で選択されている画像情報が入力されていない場合には、制御部２０は、入力選択部３３に他の画像情報を選択させる。また、いずれの画像情報も入力されていない場合には、制御部２０は、画像処理部３４に指示をして、黒色無地の基準画像を投写させ、画像情報の入力を待機する。
【００６３】
ここで、入力端子２５に外部入力画像情報が入力された場合には、制御部２０は、入力選択部３３に外部入力画像情報を選択させ、外部入力画像の投写を開始する。また、ディスクスロット４にＤＶＤメディアＭが挿入された場合には、制御部２０は、ＤＶＤ再生部２７にＤＶＤメディアＭを再生させるとともに、入力選択部３３にＤＶＤ再生画像情報を選択させ、ＤＶＤ再生画像の投写を開始する。また、入力選択部３３に外部入力画像情報とＤＶＤ再生画像情報の双方が入力されている場合には、ユーザーは、本体操作部２２又はリモコン２３に備わる入力切替キーを操作することによって、所望の画像情報を選択することができる。
【００６４】
また、ＤＶＤメディアＭがＤＶＤ再生部２７のターンテーブルに装着された状態では、ユーザーは、本体操作部２２又はリモコン２３のイジェクトキー９０を操作することによって、ＤＶＤメディアＭを取り出すことができる。ここで、本実施形態のプロジェクター１は、ＤＶＤメディアＭを取り出そうとしているユーザーが投写レンズ１３から射出される光を直視してしまうことを抑制するために、イジェクトキー９０が操作された場合に、調光装置１４を閉塞させて、投写される光の量を低減させるようになっている。
【００６５】
図４は、イジェクトキー９０が操作された場合のプロジェクター１の動作を示すフローチャートである。光源装置１１が点灯している状態で本体操作部２２又はリモコン２３のイジェクトキー９０がユーザーによって操作されると、制御部２０は、図４に示すフローに従って動作する。
【００６６】
図４に示すように、ステップＳ１０１では、本体操作部２２又は操作信号受信部２４が、イジェクトキー９０の操作を検出して、制御部２０に通知する。そして、ステップＳ１０２では、制御部２０は、ＯＳＤ処理部３５に指示をして、メッセージ画像Ｍｓ（図５参照）を所定時間（例えば、５秒）重畳表示させ、ＤＶＤメディアＭをイジェクトすることとともに、調光装置１４の閉塞によって光量が低減することをユーザーに事前に報知する。
【００６７】
その後、ステップＳ１０３では、制御部２０は、画像処理部３４に指示をして、それまで出力していた画像情報の代わりに基準画像情報を出力させ、画像投写部１０から基準画像を投写させる。なお、本実施形態では、基準画像として、黒色無地の画像、即ちすべての画素の光透過率を最小に設定した画像を投写する。
【００６８】
ステップＳ１０４では、制御部２０は、光源制御部４１に指示をして、光源装置１１の輝度を低輝度に切り替えさせる。つまり、光源制御部４１に光源装置１１の輝度を低減させる。なお、イジェクトキー９０が操作される前に既に低輝度に設定されている場合には、本ステップでの輝度の変化はない。
【００６９】
ステップＳ１０５では、制御部２０は、調光駆動部３７に指示をして、調光装置１４のルーバー１４ａを閉塞させる。そして、調光装置１４を最も閉塞した状態にすることによって、投写される光量を低減させる。
【００７０】
ステップＳ１０６では、制御部２０は、ＤＶＤ再生部２７のメディア搬送部２９に指示をして、ＤＶＤメディアＭをイジェクトさせ、フローを終了する。そして、メディア搬送部２９は、この指示を受け、ＤＶＤメディアＭがディスクスロット４から半分ほど露出する状態となるまでＤＶＤメディアＭを搬送する。
【００７１】
図６は、ＤＶＤメディアＭをイジェクトした後のプロジェクター１の動作を示すフローチャートである。先のフロー（図４参照）に従ってＤＶＤメディアＭのイジェクトを終えると、制御部２０は、図６に示すフローに従って動作する。
【００７２】
図６に示すように、ステップＳ２０１では、制御部２０は、挿入センサー２８の検知結果に基づいて、ディスクスロット４にＤＶＤメディアＭがあるか否か、即ちイジェクトしたＤＶＤメディアＭがディスクスロット４から取り外されたか否かを判断する。そして、ＤＶＤメディアＭが取り外された場合にはステップＳ２０８に移行し、取り外されていない場合にはステップＳ２０２に移行する。
【００７３】
ＤＶＤメディアＭが取り外されずにステップＳ２０２に移行した場合には、制御部２０は、ＤＶＤメディアＭをイジェクトしてから所定時間（例えば、２０秒）が経過したか否かを判断する。そして、所定時間が経過していない場合にはステップＳ２０１に戻り、所定時間が経過した場合、即ち所定時間が経過した後もディスクスロット４にＤＶＤメディアＭがある場合にはステップＳ２０３に移行する。
【００７４】
ステップＳ２０３に移行した場合には、制御部２０は、ＤＶＤ再生部２７のメディア搬送部２９に指示をして、ＤＶＤメディアＭをＤＶＤ再生部２７の内部にロードさせてターンテーブル上に装着させる。
【００７５】
ステップＳ２０４では、制御部２０は、ＤＶＤ再生部２７に指示をして、画像情報の再生を開始させる。そして、ステップＳ２０５では、制御部２０は、画像処理部３４に指示をして、基準画像情報を出力する状態から、ＤＶＤ再生画像情報を出力する状態に切り替えさせる。
【００７６】
ステップＳ２０６では、制御部２０は、調光駆動部３７に指示をして、調光装置１４のルーバー１４ａを開放させ、調光装置１４を最も開放した状態にする。
【００７７】
ステップＳ２０７では、制御部２０は、光源制御部４１に指示をして、光源装置１１の輝度を当初の輝度（イジェクトキー９０が操作される前に設定されていた輝度）に復帰させ、フローを終了する。
【００７８】
このように、イジェクトされたＤＶＤメディアＭが取り外されることなく所定時間が経過した場合には、プロジェクター１は、ＤＶＤメディアＭを再び内部にロードする。そして、それを再生してＤＶＤ再生画像の投写を開始するとともに、調光装置１４や光源装置１１を元の状態に戻す。
【００７９】
一方、所定時間が経過する前にＤＶＤメディアＭが取り外されてステップＳ２０８に移行した場合には、制御部２０は、挿入センサー２８の検知結果に基づいて、ディスクスロット４に新たなＤＶＤメディアＭが挿入されたか否かを判断する。そして、新たなＤＶＤメディアＭが挿入された場合には、ステップＳ２０３に移行し、挿入されたＤＶＤメディアＭをロードして再生するとともに、調光装置１４や光源装置１１を元の状態に戻す。一方、ＤＶＤメディアＭが挿入されていない場合にはステップＳ２０９に移行する。
【００８０】
ステップＳ２０９では、制御部２０は、本体操作部２２又はリモコン２３の入力切替キーが操作されて、外部入力画像情報が選択されたか否かを判断する。そして、外部入力画像情報が選択された場合にはステップＳ２１０に移行し、選択されていない場合にはステップＳ２１２に移行する。
【００８１】
ステップＳ２１０に移行した場合には、制御部２０は、入力端子２５に外部入力画像情報が入力されているか否かを判断する。そして、外部入力画像情報が入力されていない場合には、ステップＳ２１２に移行する。一方、入力端子２５に外部入力画像情報が入力されている場合には、ステップＳ２１１に移行する。
【００８２】
ステップＳ２１１では、制御部２０は、画像処理部３４に指示をして、基準画像情報を出力する状態から、外部入力画像情報を出力する状態に切り替えさせる。その後、ステップＳ２０６に移行して、調光装置１４を最も開放した状態にし、ステップＳ２０７にて光源装置１１の輝度を復帰させてフローを終了する。このように、ＤＶＤメディアＭが取り外された後に、入力切替キーが操作されて外部入力画像情報が選択された場合には、入力端子２５に外部入力画像情報が入力されていれば、それに基づく外部入力画像の投写を開始するとともに、調光装置１４や光源装置１１を元の状態に戻す。
【００８３】
また、ステップＳ２１２に移行した場合には、制御部２０は、ＤＶＤメディアＭが取り外されてから所定時間（例えば、６０秒）が経過したか否かを判断する。そして、所定時間が経過していない場合にはステップＳ２０８に戻る。一方、所定時間が経過した場合には、ステップＳ２１３に移行する。
【００８４】
ステップＳ２１３では、制御部２０は、光源制御部４１に指示をして光源装置１１を消灯させる。そして、ステップＳ２１４では、制御部２０は、電源回路４０に指示をして、各部への動作電力の供給を停止させ、フローを終了する。これにより、プロジェクター１は、スタンバイ状態に移行する。このように、イジェクトされたＤＶＤメディアＭが取り外された後に、新たな画像を鑑賞するための操作（新たなＤＶＤメディアＭの挿入、又は外部入力画像情報への切り替え）がなされることなく所定時間が経過した場合には、プロジェクター１は、スタンバイ状態に移行する。
【００８５】
以上説明したように、本実施形態のプロジェクター１によれば、以下の効果を得ることができる。
【００８６】
（１）本実施形態のプロジェクター１によれば、ＤＶＤメディアＭをイジェクトするための操作、即ちイジェクトキー９０の操作が検出された場合に、制御部２０は、ＤＶＤメディアＭをイジェクトさせるとともに、調光装置１４を閉塞することによって、外部に投写される画像の光量を低減させている。このため、ＤＶＤメディアＭを取り出そうとしているユーザーが、投写される画像（光）によって眩しさを感じてしまうことが抑制される。ここで、本実施形態では、画像のコントラスト感を向上させるための調光装置１４を利用して光量を絞るようにしているため、光量を絞るための装置を別途備える必要はない。
【００８７】
（２）本実施形態のプロジェクター１によれば、ＯＳＤ処理部３５がメッセージ画像Ｍｓを表示することによって、光量が低減することを事前にユーザーに報知しているため、ユーザーを驚かせずに済む。
【００８８】
（３）本実施形態のプロジェクター１によれば、イジェクトされたＤＶＤメディアＭが所定時間取り外されなかった場合に、ＤＶＤメディアＭをＤＶＤ再生部２７の内部に再びロードさせるようにしているため、ＤＶＤメディアＭがディスクスロット４からイジェクトされたままの状態で放置されることがなくなり、ＤＶＤメディアＭを保護することが可能となる。
【００８９】
（４）本実施形態のプロジェクター１によれば、イジェクトキー９０の操作が検出された場合に、制御部２０は、光源装置１１の輝度を低減させるため、投写レンズ１３から射出される光量をより低減することができるとともに、ＤＶＤメディアＭをイジェクトする際の消費電力を抑制することが可能となる。また、調光装置１４（ルーバー１４ａ）に照射される光の量が低減されるため、調光装置１４の熱的なダメージを抑制することが可能となる。
【００９０】
（５）本実施形態のプロジェクター１によれば、イジェクトキー９０の操作が検出された場合に、黒色無地の画像を基準画像として投写するようにしているため、投写レンズ１３から射出される光量をより低減することが可能となる。
【００９１】
なお、本実施形態では、ディスクスロット４が記録媒体交換部に相当する。また、ＤＶＤメディアＭをイジェクトするためのイジェクトキー９０の操作が排出操作に相当し、イジェクトキー９０の操作を検出する本体操作部２２、リモコン２３、及び操作信号受信部２４が排出操作検出部に相当する。また、メッセージ画像Ｍｓを重畳表示するＯＳＤ処理部３５が報知部に相当する。
【００９２】
（変形例）
また、上記実施形態は、以下のように変更してもよい。
【００９３】
上記実施形態では、ＤＶＤ再生部２７にＤＶＤメディアＭを装着する方式として、ディスクスロット４にＤＶＤメディアＭを直接挿入するスロットイン方式を採用しているが、ＤＶＤ再生部２７は、スロットイン方式に限定されず、例えば、ＤＶＤメディアＭをトレイに載置して搬送するトレイローディング方式を採用してもよい。
トレイローディング方式では、イジェクトキー９０が操作されると、ターンテーブルに装着されているＤＶＤメディアＭは、トレイに載置されて筐体２の外部にイジェクトされる。そして、トレイ上のＤＶＤメディアＭを適宜交換した後、再度イジェクトキー９０を操作するか、或いはトレイを押し入れる操作を行うと、新たなＤＶＤメディアＭが載置されたトレイは、筐体２の内部に収容され、ＤＶＤメディアＭはターンテーブルに装着される。このため、トレイローディング方式の場合には、トレイを収容するために筐体２に設けられた開口部が記録媒体交換部に相当し、筐体２内に収容された状態のトレイを引き出すためのイジェクトキー９０の操作が排出操作に相当する。なお、トレイローディング方式では、ＤＶＤメディアＭが装着されていない場合に空のトレイをイジェクトさせる操作も排出操作に含めることができる。つまり、ＤＶＤメディアＭの装着の有無に拘らず、トレイを引き出すための操作が行われた場合に、調光装置１４を閉塞するようにすれば、新たなＤＶＤメディアＭを挿入する際にも光量が低減することとなり、眩しさが抑制される。
【００９４】
上記実施形態では、筐体２において、投写レンズ１３が露出する面とディスクスロット４が設けられている面とが同一面になっているが、同一方向を向いた面であれば必ずしも同一面に限られない。例えば、投写レンズ１３が露出する面と、ディスクスロット４が設けられている面との間に段差があってもよい。また、図７（ａ）、（ｂ）に示すように、筐体２が、ＤＶＤ再生部２７等を収容する第１の筐体２ａと、画像投写部１０等を収容する第２の筐体２ｂとに区分されるとともに、第１の筐体２ａに対して第２の筐体２ｂが回動して、投写方向を変更可能になっている構成にも適用可能である。このような構成であっても、投写レンズ１３が露出する面と、ディスクスロット４が設けられている面とを同一方向に向けて使用する場合（図７（ａ）参照）には、上記実施形態の効果と同一の効果を得ることができる。また、投写レンズ１３が露出する面や、ディスクスロット４が設けられる面は、平面である必要はなく、曲面であってもよい。
【００９５】
上記実施形態では、調光装置１４は、開き戸（扉）式に開閉するルーバー１４ａを備えた構成になっているが、調光装置１４の構成は上記に限定されない。例えば、引き戸（スライド）式に開閉する構成であってもよいし、カメラで用いられる絞り機構のように、複数の絞り羽根で開口の大きさを調整する構成を採用してもよい。
【００９６】
さらに、上記実施形態では、調光装置１４は、機械的に光量を絞る機構を備えたものとして説明したが、調光装置１４の構成は上記に限定されない。例えば、液晶パネル等の光変調装置を用いて調光装置１４を構成することもできる。図８は、本変形例に係る画像投写部１０を説明するための構成図である。本図において、画像投写部１０は、液晶パネル１４ｂと射出側偏光板１４ｃとを含んで構成される調光装置１４を、クロスダイクロイックプリズム８３の射出面８３ｘと、投写レンズ１３の入射面との間に備えている。このような構成によれば、液晶パネル１４ｂに供給する制御電圧に基づき、投写レンズ１３の入射面に入射する光の光量を制限することができる。つまり、投写レンズ１３から投写される画像光の光量を調整することができる。なお、液晶パネル１４ｂの入射側に入射側偏光板を備えるようにしてもよい。また、図８では、調光装置１４が透過型の液晶パネル１４ｂを備えている例を図示したが、各種の反射型の光変調装置を用いることも可能である。光変調装置で構成された調光装置１４は、機械式の調光装置と比べて応答が速く、調光時に動作音が発生しないため、プロジェクター１の付加価値を高めることができる。また、調光装置１４は、その構成に応じて様々な位置に配置することが可能であり、上記実施形態のように、光源装置１１と液晶パネル１２との間に配置することもできるし、本変形例のように、液晶パネル１２と投写レンズ１３との間に配置することもできる。或いは、投写レンズ１３の射出側に配置する構成としてもよい。
【００９７】
上記実施形態では、ＤＶＤメディアＭに記録されている情報の読み取りが可能なＤＶＤ再生部２７を備えた構成を示しているが、ＤＶＤ以外の光ディスク（例えば、ブルーレイディスク）、各種半導体メモリー、磁気ディスク、磁気テープ等、他の記録媒体に記録されている情報の読み取りが可能な構成であってもよい。
【００９８】
上記実施形態では、イジェクトキー９０が操作された際に、基準画像として、黒色無地の画像を投写するようにしているが、基準画像は、黒色無地に限られず、他の色の画像や無地以外の画像を用いてもよい。また、上記実施形態では、イジェクトキー９０が操作された際に、光源装置１１の輝度を低減させるようにしているが、必ずしも低減させる必要はない。
【００９９】
上記実施形態において、イジェクトキー９０の操作を受けて、調光装置１４により光量を低減させる際に、ＯＳＤ画像を視認できる程度の光量を維持するようにしてもよい。これによれば、光量を低減させている間もメッセージ画像Ｍｓ等の表示を継続することが可能となる。一方、光量をより低減させて、ほぼ完全に光を遮蔽する態様とすることも可能である。
【０１００】
上記実施形態では、外部の画像出力装置Ｃから入力端子２５にケーブルを介して画像情報が入力される態様を示したが、この態様に限定されない。例えば、無線ＬＡＮ（Local Area Network）等の無線通信によって画像情報が入力される態様を採用してもよい。
【０１０１】
上記実施形態では、光変調装置として、透過型の液晶パネル１２を用いているが、反射型の液晶パネル等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１０２】
１…プロジェクター、２…筐体、３…開口部、４…ディスクスロット、１０…画像投写部、１１…光源装置、１１ａ…光源ランプ、１１ｂ…リフレクター、１２，１２Ｒ，１２Ｇ，１２Ｂ…液晶パネル、１３…投写レンズ、１４…調光装置、１４ａ…ルーバー、２０…制御部、２１…記憶部、２２…本体操作部、２３…リモコン、２４…操作信号受信部、２５…入力端子、２６…画像情報変換部、２７…ＤＶＤ再生部、２８…挿入センサー、２９…メディア搬送部、３０…装着センサー、３１…データ読取部、３２…データ処理部、３３…入力選択部、３４…画像処理部、３５…ＯＳＤ処理部、３６…液晶駆動部、３７…調光駆動部、３８…画像解析部、３９…電源端子、４０…電源回路、４１…光源制御部、５０…照明光学系、５１…第１のレンズアレイ、５２…第２のレンズアレイ、５１ａ，５２ａ…レンズ、５３…偏光変換素子、５４…重畳レンズ、５５…平行化レンズ、６０…色光分離光学系、６１…第１のダイクロイックミラー、６２…第１の反射ミラー、６３…第２のダイクロイックミラー、７０…リレー光学系、７１…入射側レンズ、７２…第２の反射ミラー、７３…リレーレンズ、７４…第３の反射ミラー、８０…画像形成部、８１…入射側偏光板、８２…射出側偏光板、８３…クロスダイクロイックプリズム、８３ｘ…射出面、９０…イジェクトキー、Ｃ…画像出力装置、Ｍ…ＤＶＤメディア、Ｍｓ…メッセージ画像、ＳＣ…スクリーン。
【図１】
2011118141.tif 000003
【図２】
2011118141.tif 000004
【図３】
2011118141.tif 000005
【図４】
2011118141.tif 000006
【図５】
2011118141.tif 000007
【図６】
2011118141.tif 000008
【図７】
2011118141.tif 000009
【図８】
2011118141.tif 000010